(57)【要約】  【課題】  【解決手段】  本発明の一実施例による吊椅子スタンド（１００）は、中間部分（２１０）で互いに連結された第１及び第２の支持部材（２００、２０２）を具える。各支持部材は、ベースの上に載せるように構成された脚部（２０６ａ、２０６ｂ）と、前記脚部（２２０）によって規定された領域の上に吊椅子を吊り下げるように構成した腕部（２０４ａ、２０４ｂ）を具える。一対の取り付け部材（２１２）が腕部の端部に連結されており、この領域の上に吊椅子を吊り下げる。【選択図】    図１
2007512858.tif 000002
【特許請求の範囲】
【請求項１】
吊椅子スタンドにおいて：
各々が腕部を有する第１及び第２の支持部材と、脚部と、中間部を具え、前記第１及び第２の支持部材が互いにその中間部で連結されており；
前記脚部が実質的に直線状であり、ベース上に位置するように構成されており；
前記ベース上に位置したときに、前記脚部の上に吊椅子が各腕部の端部から吊り下げられており；
前記腕部がそれぞれ曲線形状を有し；
前記腕部の端部に連結された一対の取り付け部材を具え、当該取り付け部材が前記吊椅子を、各脚部と各脚部の端部を結ぶ仮想線とで規定される領域の上に吊り下げるように構成されている；
ことを特徴とする吊椅子スタンド。
【請求項２】
請求項１に記載の吊椅子スタンドが更に、各腕部に形成した複数の開口を具え、当該開口がコネクタまたは取り付け部材を受けて前記吊椅子を吊るすように構成されていることを特徴とする吊椅子スタンド。
【請求項３】
請求項１に記載の吊椅子スタンドにおいて、前記取り付け部材がＳ型ホックであることを特徴とする吊椅子スタンド。
【請求項４】
請求項１に記載の吊椅子スタンドが更に、前記脚部に連結されたホイールアッセンブリセットを具え、前記吊椅子スタンドを移動可能にしたことを特徴とする吊椅子スタンド。
【発明の詳細な説明】
【技術分野】
【０００１】
関連出願
この出願は、米国暫定出願
番号：    ６０／４２８，５４８号
出願日：  ２００２年１１月２１日
出願人：  米国テキサス州ラボック所在のベンジャミン  エム．リー
発明の名称  吊椅子スタンド
の利益を請求する。
この出願は、米国特許出願
番号：    １０／７０１，２０２号
出願日：  ２００３年１１月４日
出願人：  米国テキサス州ラボック所在のベンジャミン  エム．リー
発明の名称  吊椅子スタンド
の利益を請求する。
【０００２】
連邦国政府によるリサーチ            適用なし
【０００３】
シーケンスリストあるいはプログラム  適用なし
【０００４】
発明の属する技術分野
本発明は、一般的にレジャー／アウトドア用家具製造の分野に関し、特に吊椅子スタンドに関する。
【０００５】
発明の背景−従来技術の説明
吊椅子またはスリングチェアは近年ポピュラーになってきている。「吊椅子」というフレーズを聞いたものは、疑いなく休憩とリラクゼーションを思い浮かべる。伝統的には、吊椅子は、木製の横棒の一方のサイドに連結され、シートスリングの両サイドに連結された一点ハーネスから吊り下げられたある種の布製スリングを具えている。この装備は、木の枝の突出部や、天井のジョイントなど、頭上にあらかじめ突出している支持部がある場合に好適である。このようなタイプの吊椅子の設置にはスキルが必要であり、時間がかかる。頭上に支持部がない場合は、吊椅子は、自身の構造で立つ吊椅子支持部の形状を取っており、金属製または木製のフレームを有する。しかしながら、これらの自身の構造で立つ吊椅子は高価であり、嵩が大きく、安全を害する要因とならざるを得なかった。
【０００６】
従来技術の更なる説明−非特許文献（ＮＦＬＤ）
自身の構造でたつスタンドの最も初期のもの、あるいは吊椅子支持構造は、一点支持スタンドであった。すなわち、このスタンドは、吊椅子スタンドの最も高い部分にある単一の中央吊り下げポイントから椅子を保持するように設計されている。一点支持スタンドは今でも最も広く使用されている吊椅子スタンドの形式である。ほとんどの一点支持スタンドを今日も市場で見つけることができる。これらのスタンドのいくつかは、添付のＰＴＯ／ＳＢ／Ｏ８Ｂフォームに、非特許文献（以下、ＮＦＬＤという）Ｐ，ＱおよびＲとして挙げた冊子およびカタログからの抜粋に図示されている。ＮＦＬＤ  Ｐ，Ｑ及びＲに挙げたこれらの３つのスタンドは、従来技術の一点支持スタンドの代表的なものである。ＮＦＬＤ  Ｐに示されているスタンドは、現在もっとも頻繁に販売されている一点支持スタンドであると思われる。このスタンドは、高さ７フィート以上、重量約７０ポンドで、１２のピースからできている。
【０００７】
近年、２点支持あるいは多点支持吊椅子スタンドがいくつか市場に見られるようになった。これらのスタンドは、スタンドの２又はそれ以上の点から吊椅子を吊り下げるように設計されている。このタイプのスタンドは、今日ではわずかに市場に見られるだけである。ＰＴＯ／ＳＢ／０８Ｂフォームに付した非特許文献（以下，ＮＦＬＤという）として挙げたカタログおよび冊子からの抜粋に、４つの２点支持スタンドが記載されている。ＮＦＬＤ  Ｓ、Ｔ、Ｕ、Ｖは、これらのスタンドの変形である。これは、従来の２点支持スタンドの代表的なものである。ＮＦＬＤ  Ｕの図は、高さ６４インチ、幅３６インチ、長さ４５インチの２点支持スタンド４１２を示す。
【０００８】
上述したとおり、最も古い吊椅子は一点支持であり、主にアウトドアで使用され、３つのリムから吊り下げられている。最も初期の吊椅子スタンドも、主にアウトドアで使用されていた。
【０００９】
吊椅子スタンドの人気が高まるに連れて、アウトドアばかりでなく、インドア使用に便利なスタンドのニーズが高まってきた。一点支持スタンドも、従来の２点支持スタンドもこのニーズを十分に満足するものではない。この理由は様々である。ほとんどすべてのものが軽快さを害する要因を有する。軽快さを害する要因であるステムが、吊椅子に座った人が吊り下がる位置の直下あるいは前で、クロスメンバまたはつなぎバーを形成している。ＮＦＬＤ  Ｐ、Ｑ、Ｒ、Ｓ、Ｔ、Ｕ、Ｖ（符号５０２、５０４、５０６、５０８、５１０）は、全て、これらの従来のスタンドの一部にクロスメンバを示している。発明者が知る２点吊椅子スタンドの従来技術は、ＮＦＬＤ  ＲおよびＶの吊椅子スタンド４０６と４１４だけであり、これらはクロスメンバを示していない。しかしながら、これらのスタンドでさえも（これらの四角の踏み跡、６０６、６１４のクロスバーのため）、本発明の吊椅子スタンド中には見られないある程度の障害物がある。本発明の吊椅子スタンドの写真を、発明者のカタログの、イラストＷに見ることができる。
【００１０】
更に、一点支持スタンドと２点支持スタンドを両方含むＮＦＬＤ  Ｐ、Ｑ、Ｒ、Ｓ、Ｔ、Ｕ、Ｖのイラストは、従来技術のスタンドが全て踏み跡が四角あるいは矩形（符号６０２、６０４、６０６、６０８、６１０、６１２、６１４）であることを示している。四角い踏み跡は、アウトドアと同様に、インドアでも好適に配設できる面積を制限するものである。なぜなら、これらの嵩のある踏み跡は、角および角のようなスペースで使用することを阻むためである。これらのスタンドのうちのいくつかは、嵩が大きいし重く、いくつかは組み立てが複雑である。いくつかは、使用に際してばらばらになる傾向がある。いくつかは、使用に際して安易にひっくり返る傾向にある。
【００１１】
これらの問題は、２点支持スタンドである本発明の吊椅子スタンドにはまったく存在しない。
【００１２】
従来技術が、２点支持スタンドについてのクロスメンバと嵩のある踏み跡の問題を解決していない理由は、ほとんどの開発業者が全長ハンモック支持スタンドの概念を超えていないためである。すなわち、ＮＦＬＤ  Ｓ、Ｔ、Ｕ、Ｖのイラストから、従来の２点支持スタンドが単に、全長ハンモック支持スタンドを作り変えたものに過ぎないことが容易にわかる。すなわち、ＮＦＬＤ  Ｓ、Ｔ、Ｕ、Ｖのイラストを良く見ると、これらの従来のスタンドの各々は、全長ハンモック支持スタンドを折りたたむあるいは短くしてつくられており、これを吊椅子の保持用に転換しているだけである。このことは、ほとんどの従来の２点支持スタンドを、ユーザの足の下にクロスメンバがあり、すべて嵩のある踏み跡を持つものにしている。
【００１３】
従来技術の更なる説明−米国特許
S. R. Robinsonに付与された米国特許第２３６、６３０号は、椅子とハンモックを組み合わせたものを開示しており、構成に見られるように、椅子もスイングさせて使用することができる。
【００１４】
C. L. Barnardに付与された米国特許第５４９，６７０号は、構造が単純で耐久性が高く、操作効率の良い、ばねで十分に始動される乳幼児用ジャンパを開示している。
【００１５】
A. Whistleに付与された米国特許第５０５，７９７号は、全体的に安全で、非常に心地よく、一般的に都合が良く、部品を容易に調整することができ、軽量で、コンパクトで、持ち運び可能で、アウトドア、陸上あるいは船上で、および全天候における使用に適用可能な特徴を有する空中揺りかご寝台を開示している。
【００１６】
J. Borlandに付与された米国特許第６５４，７７９号は、組み立てに好都合で、船積み用に分解できて、フレームのシートまたはスイングボディを回転可能に、あるいは回すことができるように吊り下げる、改善された手段を具え、シートを自在におよび容易にスイングできるようにした、改善された支持フレーム付のデバイスを開示している。
【００１７】
A. P. Bottgarに付与された米国特許第７８７，５５６号は、椅子の背もたれを容易に調整可能であり、フットレストが調整可能であり、天井あるいはドアケースの上部のホックから取り付けおよび取り外しが容易であるゆり椅子を開示している。
【００１８】
A. G. Meyersに付与された米国特許第２，３９８，３８４号は、スイングする幼児用椅子を開示しており、これは、簡単で、耐久性があり、魅力のある製品であり、使用しないときには保存に便利なように容易にコンパクトに折りたたむことができ、使用するときには容易に開くことができる。
【００１９】
William P. Jacksonに付与された米国意匠第２４９，４０８号は、「吊椅子及びスタンド」の装飾意匠を開示している。
【００２０】
Thomas C. Eads, et alに付与された米国特許第４，４７８，４０９号は、ほぼ矩形のシートフレームと、このシートフレームに回動可能に取り付けたほぼ矩形の背もたれフレームとを具える吊椅子を開示している。
【００２１】
Ambrose C. S. Hooiに付与された米国特許第５，０９７，５４５号は、支持スタンドと、この支持スタンドから吊り下げたハンモックを具える幼児用揺りかごを開示している。
【００２２】
Giorgio Onoriniに付与された米国特許第５，８４２，７４１号は、自在に立てることができる、オーバーヘッド支持フレームから吊り下げるタイプの、改善された持ち運び可能なパティオスイングを開示している。
【００２３】
Chuen-Jong Tsengに付与された米国特許第６，５８２，０１８Ｂ２号特許は、一対の支持フレームユニットと、中空上の水平バーと、二つの主ロッキングデバイスを具えるスイングフレームを開示している。
【００２４】
米国特許庁の記録を入念に調査したが、上述の特許は、本発明者が発見し得た最も関連性の高い発明ではあるが、上記の特許のいずれも、本発明の吊椅子スタンドのようではない。
【００２５】
背景−目的と効果
クロスメンバ棒、嵩のある踏み跡、高さ、重量、および複雑さといった問題点、および従来技術のスタンドより簡素な設計に対するニーズによって、本発明の吊椅子スタンドを発明した。
【００２６】
本発明の吊椅子スタンドは、シートとこのシートに座る者を、ユーザの下にクロスメンバ（すなわち、脚台）を相接させることなく、スタンドの脚部によって規定されるスペースの上に吊り下げられるように設計されている。本発明の吊椅子スタンドは、シートに座る者をユーザの下のクロスメンバまたはその他の障害物に相接させることなくスペースの上に吊り下げられるようにした２点支持スタンドである。対照的に、発明者の知る全ての従来の２点支持スタンドは、シートに座る者をクロスメンバまたはその他の障害物の上に直接吊り下げるものであり、これは全ての従来技術に共通の特性である。本発明の吊椅子スタンドにおけるこれらの障害物の除去は、扱いにくい障害物や、従来技術のスタンドのユーザが当面する軽快さを阻害する潜在的な要因を取り除く。
【００２７】
図２に示す本発明の吊椅子スタンドを見ると、従来の２点支持スタンドによる概念から劇的に異なるものが示されている。図に見られるように、従来の２点支持スタンドは、単に全長ハンモック支持スタンドを作り変えたものに過ぎない。すなわち、ＮＰＬＤ  Ｓ、Ｔ、Ｕ、Ｖのイラストは、これらの従来のスタンドが、全長ハンモック支持スタンドを折りたたむ、あるいは短縮することによってできたものであり、従って従来のハンモックスタンドを吊椅子の保持に転用しただけであることを示している。本発明の吊椅子スタンド１００を見ると、これは従来のスタンドのような、単なる全長ハンモック支持スタンドの変形ではないことがわかる。
【００２８】
更に、インドアでの使用が望まれ、経済的なスペースが重要である場合、従来のスタンドは選択の余地が少ない。従来のスタンドの踏み跡あるいはベースは、四角あるいは矩形である。このことは、従来のスタンドは嵩が大きく、扱いにくいため、インドア使用に向かないことを意味する。すなわち、従来のスタンドは、角または角のようなスペースに都合よく合致しない。これに比べて、本発明の吊椅子スタンド１００はＶ字形状の踏み跡を有する。この構成はスペースを経済的に使用し、角またはその他の小さなスペースに心地よく配置することができる。このことは、従来技術の場合のように四角または矩形のスタンドが都合よく合致しないような場所でも、スタンドを使用可能とする。
【００２９】
ＮＰＬＤ  Ｐのイラストは、もっとも普通に使用されている従来の一点支持スタンド４０２を示している。このスタンドは、１２個のピースから組み立てられ、７０ポンドの重量がある。このスタンドは、人が椅子に座っているときにばらばらになる傾向がある。このようなことは、その連結部分の強度と安全性のため本発明の吊椅子スタンドでは生じない。
【００３０】
好ましい実施例の吊椅子１００は、比較的軽量であり、組み立てに必要な時間と努力が少なくてすむ。この吊椅子の軽量性と、コンパクトな構造によって、吊椅子を容易に移動させることができ、インドアでの使用など従来技術では都合よく行うことができなかった面積での使用が可能である。吊椅子スタンド１００の好適な実施例は、２つの主支持部材２００、２０２でできたスチールフレームと、高さ約５と１／２フィート（１．６７７メートル）、重さ約４０ポンド（１８．１６キログラム）である。
【００３１】
本発明の吊椅子スタンドの設計は、全ての一点支持吊椅子に見られる横棒の使用が不要となる。しかしながら、ほとんどの一点支持吊椅子は、横棒を容易に取り外すことができるようにする方法で設計されており、これらのシートのつり革を吊椅子のアームに直接容易に取り付けることができるようにしている。従って、本発明の吊椅子スタンドは、すでに一点支持吊椅子を所有しており、その椅子を更に吊椅子スタンドに使用することを望む人たちには、魅力的な代替になる。図３Ａおよび３Ｂに記載されているような、多点支持つり革であるその他の普通の吊椅子でさえ、このスタンドに使用することができる。
【００３２】
本発明の吊椅子スタンド１００の好ましい実施例は、スタンドを見ると容易に明らかになる別の利点がある。図１は、Ｖ字形状の吊椅子スタンド１００に見られるユニークな形状と、曲線的な支持アームおよび脚部を示す。これらの部品は優美で審美学的に美しい。従来の２点支持スタンドのいずれもこの概念を追及するものではない。ＮＰＬＤ  Ｓ、Ｔ、Ｕ，Ｖから、従来の２点支持吊椅子スタンドが、単に、全長ハンモック支持スタンドを単に折りたたんだ、あるいは短縮したバージョンに過ぎないことが明らかである。
【００３３】
本発明の吊椅子スタンドはデザインと構造の簡素さのため、その他の２点支持吊椅子スタンドより一層経済的に製造することができる。
【００３４】
本発明の吊椅子スタンドのその他の目的及び利点は、図面と明細書から明らかになる。
【００３５】
発明の概要
本発明の一実施例によれば、吊椅子スタンドは、中間部で互いに連結された第１及び第２の支持部材を具える。この支持部材は各々ベース上に位置するように構成した脚部と、当該脚部によって規定される領域の上に吊椅子を吊り下げるように構成した腕部を有する。一対の取り付け部材が腕部の端部を連結して、前記領域の上に吊椅子を吊り下げている。
【００３６】
本発明の実施例は、いくつもの技術的利点を有する。本発明の実施例は、これらの利点の全てを、又はいくつかを有していても良く、あるいはまったく有していなくても良い。本発明の一実施例にかかる吊椅子スタンドは、最小の設備で心地よい吊椅子を提供する。この構造では、シートの下に扱いにくい妨害物あるいは、軽快さを妨げる要因になる可能性を予期できない。更に、インドアで使用するときに重要である、相当のスペース、特に角のような領域におけるスペースを節約する。本発明の実施例に係る吊椅子スタンドは、安価で、４点または６点支持スリングを吊り下げるように構成することができる。アクセサリの追加も容易である。
【００３７】
その他の技術的利点は、添付図面、明細書および請求の範囲から当業者には明らかである。
【００３８】
詳細な説明
本発明の実施例とその利点は、図１ないし図４Ｍを参照すると最も良く理解される。ここでは、同じ符号は同じ部品を示す。
【００３９】
図１及び図２に示す好ましい実施例の説明
図１は、本発明の一実施例に係る人が座っている布製シートスリング１０２を吊り下げる吊椅子スタンド１００の斜視図である。その詳細を図２に関連して述べる。吊椅子スタンド１００は、最小の設備で快適な吊椅子を実現する。吊椅子スタンド１００は、従来の吊椅子スタンドに比べて最小スペースを占める。これは、インドアで吊椅子を使用する場合に非常に重要である。吊椅子スタンド１００は、様々なタイプのシートスリング１０２に容易に適用することができる。
【００４０】
図２を参照すると、吊椅子スタンド１００の分解図が記載されている。図に示す実施例では、吊椅子スタンド１００は、第１の支持部材２００と第２の支持部材２０２を具える。支持部材２００、２０２は腕部２０４ａ、２０４ｂ、脚部２０６ａ、２０６ｂと、中間部２０８ａ、２０８ｂをそれぞれ具える。支持部材２００、２０２は、互いに中間部２０８ａ、２０８ｂで一またはそれ以上の締結具２１０によって連結されている。支持部材２００、２０２は、いずれかの好適な材料で作ることができるが、一の実施例では、支持部材２００、２０２は、金属チューブでできている。腕部２０４ａ、２０４ｂ、脚部２０６ａ、２０６ｂと、中間部２０８ａ、２０８ｂは、互いに一体的に形成されていても良く、あるいは別々のピース、またはこれらの組み合わせでできていても良い。中間部２０８ａ、２０８ｂは、脚部２０６ａ、２０６ｂと一体的であり、腕部２０４ａ、２０４ｂは別部材であることが好ましい。
【００４１】
腕部２０４ａ、２０４ｂは、いずれかの好適な形状を有しているが、図に示す実施例の腕部２０４ａ、２０４ｂは、曲線形状と、中間部２０８ａ、２０８ｂから生じて一般的なＶ字形状を構成している。複数の開口２１１を、各腕部２０４ａ、２０４ｂに形成して、吊椅子１０２などの吊椅子を、腕部２０４ａ、２０４ｂから吊り下げる目的で一又はそれ以上の取り付け部材２１２を受けている。取り付け部材２１２は、Ｓ型ホックなどのいずれかの好適な取り付け部材であっても良い。腕部２０４ａ、２０４ｂの端部は、いずれかの好適な距離をおいて離れて設けられているが、腕部２０４ａ、２０４ｂの端部間の典型的な距離は３ないし６フィートである。
【００４２】
脚部２０６ａ、２０６ｂは、実質的に直線部材であり、いずれかの好適なベースの上に配置されるように構成されている。しかしながら、脚部２０６ａ、２０６ｂは、いずれかの好適な形状をしていても良い。脚部２０６ａ、２０６ｂは、それに連結された一またはそれ以上のクッション部材２１４を具えていても良い。クッション部材２１４は、脚部２０６ａ、２０６ｂがベースに直接係合することを防止する。このことは、脚部２０６ａ、２０６ｂが金属でできている場合に特に利点がある。別の実施例では、脚部２０６ａ、２０６ｂがそれに取り付けた一またはそれ以上のホイール２１６を具えており、吊椅子スタンド１００を移動可能にしても良い。脚部２０６ａ、２０６ｂと、仮想線２１８は、腕部２０４ａ、２０４ｂの端部から吊椅子が吊り下げられている領域２２０を形成する。脚部２０６ａ、２０６ｂの端部はいずれかの好適な距離をおいて分離されていても良いが、典型的には、脚部２０６ａ、２０６ｂは３ないし６フィートの距離をおいて離れている。
【００４３】
図３Ａおよび３Ｂは、吊椅子スタンド１００を使用した、４点支持および６点支持スリングをそれぞれ示す図である。腕部２０４ａ、２０４ｂには、通常、多数の開口２１１が設けられており、シートスリングのコネクタを受けているので、吊椅子スタンド１００は４点支持スリング３００と６点支持スリング３０２を容易に調整することができる。腕部２０４ａ、２４０ｂの長さに沿って設けた開口２１１を設けることによって、吊椅子スタンド１００をタイプの異なるスリングに容易に適用できるようになり、いずれのシートスリングでも容易にリクライニング位置を変更することが可能となる。
【００４４】
図４Ａないし４Ｎに示す追加の実施例とその効果の説明
図４Ａないし４Ｊは、本発明の様々な実施例による吊椅子スタンド１００を示す図である。図４Ａないし図４Ｊに示す各吊椅子スタンドは、一部品でできていても良く、複数部品で形成されていても良い。更に、図４Ａないし４Ｊに示す吊椅子スタンドは、図２に示す吊椅子スタンド１００と同様に、シートスリングを吊るす開口が設けられており、脚部がクッション部材及び／又はホイールを具えていても良い。
【００４５】
本発明は、図４Ａないし４Ｊに示すもの以外の吊椅子スタンド１００の別の形状および構成も予期している。例えば、吊椅子スタンド１００の複数の実施例は、吊椅子システムを形成するべく並べて組み立てることができる。すなわち、複数の吊椅子スタンド１００を中間位置２０８ａ、２０８ｂで、星形に、あるいはあたかも仮想円によって境界を画されているかのように、互いにつなぎとめることができる。更に、図４Ｋは、支持部材２０８ａ、２０８ｂの上側部位のみを用いて同じ構造を作ることができることを示している。すなわち、吊椅子スタンド１００の複数の支持部材が、中間点２０８ａ、２０８ｂで切り詰められている。残りの腕部２０４ａ、２０４ｂは、星形または円形を形成するようにプレートの中心から張り出している支持アームを用いて、中間点２０８ａ、２０８ｂでベースプレートに固定されている。図４Ｌおよび４Ｍは、この配置に一致しており、この円あるいはシステムの単なるセグメントを様々な方法で使用することができる。例えば、２つまたは３つの支持部材をベースプレートに固定し、ついで、１つ又は２つの吊椅子を別の方法で支持して配置するのに使用することができる。
【００４６】
図１、３Ａ、３Ｂの動作の説明
図１、３Ａおよび３Ｂは、吊椅子スタンド１００の様々な実施例を用いて、椅子２１１の腕部上の２つ、４つ、６つ又はそれ以上の開口位置から吊り下げられている吊椅子に適用することができる。これによって、スタンドをどのようなアップライト位置あるいはリクライニング位置にすることもできる。従って、スリングは、座るために、あるいは全身を横たえるのに用いることもできる。軽量でコンパクトな構造の吊椅子によって、簡単に移動させることができ、従来技術では好適に実現できなかったインドア使用などの領域で使用することができる。
【００４７】
図１は、吊椅子スタンド１００の腕部が、椅子に座っているあるいはリクライニングしている人物の頭よりも高いところでアーチを描いており、更に、スタンドの腕部がユーザのリーチ内に好適にあることを示している。この構造は、様々な機能的利点を提供する。ユーザは、腕部をつかんで、自身を起こして椅子の中の自分の位置を調節することができるし、あるいは、椅子の中で自身を起こしたり倒したりすることで、上半身のエクササイズを実行すること、あるいは、椅子のスイング動作を楽しむために自身を押すこともできる。
【００４８】
スタンド１００の好ましい実施例の更なる利用は、優美な美しさと多色から取り出される。私室、パティオ、スイミングプール、あるいはビーチを飾るのに使用することができるし、椅子でリラックスすることによって、レジャーの時間をよりよいものにすることができる。
【００４９】
結論、効果、および範囲
従って、この明細書を読むと、吊椅子スタンドが、非常に信頼性が高く、軽量で、経済的で、心地が良く、インドアおよびアウトドアのレジャー家具の審美的にアピールするピースを提供することができる。
【００５０】
図４Ａないし４Ｍは、吊椅子スタンド１００の設計の簡素さが様々な効果を示唆していることを示す。
【００５１】
本発明の実施例と、そのいくつかの利点を詳細に述べたが、当業者は、本発明の特許請求の範囲によって規定されている本発明の精神及び範囲から離れることなく、様々な代替、追加、および削除を行うことができる。
【００５２】
従って、本発明の範囲は、図に示す実施例によって決定すべきでなく、請求項とその法的な均等物によって決定すべきである。
【図面の簡単な説明】
【００５３】
本発明をより完全に理解するために、および更なる特徴及び利点を理解するために、添付の図面を参照して以下の説明を行う。
【図１】図１は、本発明の一実施例にかかる布製シートスリングに座る人を吊り下げている吊椅子スタンドの斜視図である。
【図２】図２は、本発明の一実施例にかかる図１に示す吊椅子スタンドの分解図である。
【図３Ａ】図３Ａは、本発明の様々な実施例に係る吊椅子スタンドと共に使用することができる４点および６点支持スリングを示す図である。
【図３Ｂ】図３Ｂは、本発明の様々な実施例に係る吊椅子スタンドと共に使用することができる４点および６点支持スリングを示す図である。
【図４Ａ】図４Ａは、本発明の様々な実施例にかかる吊椅子スタンドの別の実施例を示す図である。
【図４Ｂ】図４Ｂは、本発明の様々な実施例にかかる吊椅子スタンドの別の実施例を示す図である。
【図４Ｃ】図４Ｃは、本発明の様々な実施例にかかる吊椅子スタンドの別の実施例を示す図である。
【図４Ｄ】図４Ｄは、本発明の様々な実施例にかかる吊椅子スタンドの別の実施例を示す図である。
【図４Ｅ】図４Ｅは、本発明の様々な実施例にかかる吊椅子スタンドの別の実施例を示す図である。
【図４Ｆ】図４Ｆは、本発明の様々な実施例にかかる吊椅子スタンドの別の実施例を示す図である。
【図４Ｇ】図４Ｇは、本発明の様々な実施例にかかる吊椅子スタンドの別の実施例を示す図である。
【図４Ｈ】図４Ｈは、本発明の様々な実施例にかかる吊椅子スタンドの別の実施例を示す図である。
【図４Ｉ】図４Ｉは、本発明の様々な実施例にかかる吊椅子スタンドの別の実施例を示す図である。
【図４Ｊ】図４Ｊは、本発明の様々な実施例にかかる吊椅子スタンドの別の実施例を示す図である。
【図４Ｋ】図４Ｋは、吊椅子システムの一部であるハンモックチェア１００の複数コピーを示す図である。
【図４Ｌ】図４Ｌは、吊椅子システムの一部であるハンモックチェア１００の複数コピーを示す図である。
【図４Ｍ】図４Ｍは、吊椅子システムの一部であるハンモックチェア１００の複数コピーを示す図である。
【符号の説明】
【００５４】
１００    吊椅子スタンドの斜視図
１０２    布製シートスリング
２００    第１の支持部材
２０２    第２の支持部材
２０４ａ  腕部
２０４ｂ  腕部
２０６ａ  脚部
２０６ｂ  脚部
２０８ａ  中間部
２０８ｂ  中間部
２１１    開口
２１４    クッション部材
２１６    ホイール
２１８    仮想線
２２０    吊椅子が吊り下げられる領域
３００    ４点支持スリング
３０２    ６点支持スリング
４０２    非特許文献（ＮＰＬＤ）Ｐの図
４０４    ＮＰＬＤ  Ｑの図
４０６    ＮＰＬＤ  Ｒの図
４０８    ＮＰＬＤ  Ｓの図
４１０    ＮＰＬＤ  Ｔの図
４１２    ＮＰＬＤ  Ｕの図
４１４    ＮＰＬＤ  Ｖの図
５０２    クロスメンバ、または連結バー
５０４    クロスメンバ、または連結バー
５０６    クロスメンバ、または連結バー
５０８    クロスメンバ、または連結バー
５１０    クロスメンバ、または連結バー
６０２    四角または矩形の踏み跡
６０４    四角または矩形の踏み跡
６０６    四角または矩形の踏み跡
６０８    四角または矩形の踏み跡
６１０    四角または矩形の踏み跡
６１２    四角または矩形の踏み跡
６１４    四角または矩形の踏み跡
【図１】
2007512858.tif 000003
【図２】
2007512858.tif 000004
【図３Ａ】
2007512858.tif 000005
【図３Ｂ】
2007512858.tif 000006
【図４Ａ】
2007512858.tif 000007
【図４Ｂ】
2007512858.tif 000008
【図４Ｃ】
2007512858.tif 000009
【図４Ｄ】
2007512858.tif 000010
【図４Ｅ】
2007512858.tif 000011
【図４Ｆ】
2007512858.tif 000012
【図４Ｇ】
2007512858.tif 000013
【図４Ｈ】
2007512858.tif 000014
【図４Ｉ】
2007512858.tif 000015
【図４Ｊ】
2007512858.tif 000016
【図４Ｋ】
2007512858.tif 000017
【図４Ｌ】
2007512858.tif 000018
【図４Ｍ】
2007512858.tif 000019
【国際調査報告】
2007512858.tif 000020